(57)【要約】      （修正有）【課題】動物侵入防止柵の下側に隙間ができるのを防ぐ工事を、きわめて簡単な作業にして、その作業性の向上を図り、かつ作業の費用も安価なものにすることができる動物侵入防止柵用ベースコンクリートブロックを提供する。【解決手段】支柱を有する動物侵入防止柵を上部に取り付けて地面に敷設する動物侵入防止柵用ベースコンクリートブロックであって、間隙を空けて複数の平板状ブロック１を一列に並べて配置し、複数の平板状ブロック１を金属線２で連結した構成とし、一列に並べて配置した複数の平板状ブロック１の一部に、動物侵入防止柵の支柱をはめ込むための嵌入部３を有する。【選択図】図３
0003207596.tif 000002
【実用新案登録請求の範囲】
【請求項１】
支柱を有する動物侵入防止柵を上部に取り付けて地面に敷設する動物侵入防止柵用ベースコンクリートブロックであって、
間隙を空けて複数の平板状ブロックを一列に並べて配置し、複数の平板状ブロックを金属線で連結した構成とし、
一列に並べて配置した複数の平板状ブロックの一部に、動物侵入防止柵の支柱をはめ込むための嵌入部を有することを特徴とする動物侵入防止柵用ベースコンクリートブロック。
【請求項２】
請求項１に記載された動物侵入防止柵用ベースコンクリートブロックにおいて、
前記嵌入部は、一列に並べて配置した複数の平板状ブロックの両外側に位置する２つの平板状ブロックの端辺に上面視半円形状の切欠き部を設け、切欠き部にＵ字状の金属線を設けて、切欠き部とＵ字状の金属線とから上面視円形状の空間を形成することを特徴とする動物侵入防止柵用ベースコンクリートブロック。
【考案の詳細な説明】
【技術分野】
【０００１】
本考案は、高速道路等の道路において、動物の侵入を防止する動物侵入防止柵を設置する際に、動物侵入防止柵を上部に取り付けて地面に敷設する動物侵入防止柵用ベースコンクリートブロックに関する。
【背景技術】
【０００２】
山間部を切り開いて建設した高速道路等の道路にあっては、シカやイノシシ、タヌキやキツネ等の動物が道路内に侵入し、侵入した動物と自動車が衝突する事故が発生したり、侵入した動物によって運転手の運転ミスを誘って事故が発生したりすることがある。また、侵入した動物が事故に遭うことで、動物の生態系を乱して、道路近隣の自然環境が変化してしまうおそれもある。
このような問題を回避するために、道路の周囲には動物侵入防止柵を設置して、動物が道路内に侵入するのを防止している。
【０００３】
動物侵入防止柵は、高速道路等の道路に沿ってその周囲に設置されるもので、複数の支柱とこれらの支柱の間に張った金網とからなる。動物侵入防止柵の設置は、間隔を空けて地中に円筒状の鋼管杭を複数埋め込み、複数の鋼管杭それぞれの内側に動物侵入防止柵の支柱を上方から挿入してはめ込むようにしている。
【０００４】
このような動物侵入防止柵にあっては、設置後、降雨や流水、風等の作用によって起こる土壌侵食により、あるいは動物が地面を掘って穴をあけることにより、動物侵入防止柵の下側の金網と地面との間に隙間ができ、隙間を通り抜けて動物が道路内に侵入するといったことが起こる。このため、従来、動物侵入防止柵を設置した場所には現場打ち工法によってコンクリートをその全長にわたって打設する工事を行い、動物侵入防止柵の下側の金網と地面との間に隙間ができるのを防いで、動物の侵入を防止している。なお、打設するコンクリートは、たとえば、厚さを約１０ｃｍ、その幅を約３０ｃｍにしている。
【０００５】
しかしながら、動物侵入防止柵を設置した場所にコンクリートを打設する工事にあっては、その現場にコンクリート打設用の大型機械を搬入して作業を行わなくてはならず、山間部等の現場においては、コンクリートを打設する工事がきわめて困難な作業になり、作業性及び作業の費用の面で大きな問題となる。
【０００６】
しかも、コンクリートを打設する工事を行った後、地盤の隆起や沈降という地盤の変形、あるいは寒冷地での凍上現象等により、打設したコンクリートにひび割れが生じて、コンクリートが破損してしまうことがある。このため、コンクリートが破損すると、破損した箇所を修復しなければならず、その維持管理には多大な費用が掛かってしまう。
【考案の概要】
【考案が解決しようとする課題】
【０００７】
本考案は、このような問題を解決するためになされたものであり、その目的は、動物侵入防止柵の下側に隙間ができるのを防ぐ工事を、きわめて簡単な作業にして、その作業性の向上を図り、かつ作業の費用も安価なものにすることができると共に、その後の維持管理についても多大な費用が掛からないものにすることができる動物侵入防止柵用ベースコンクリートブロックを提供することである。
【課題を解決するための手段】
【０００８】
本考案は、支柱を有する動物侵入防止柵を上部に取り付けて地面に敷設する動物侵入防止柵用ベースコンクリートブロックであって、間隙を空けて複数の平板状ブロックを一列に並べて配置し、複数の平板状ブロックを金属線で連結した構成とし、一列に並べて配置した複数の平板状ブロックの一部に、動物侵入防止柵の支柱をはめ込むための嵌入部を有する。
【考案の効果】
【０００９】
本考案によれば、動物侵入防止柵を設置する場所において、地面の土壌侵食あるいは動物が地面を掘る等により動物侵入防止柵の下側に隙間ができるのを防ぐ工事を、動物侵入防止柵用ベースコンクリートブロックを地面に敷設するだけのきわめて簡単な作業にすることができ、これにより、その作業性の向上を図ることができ、作業の費用も大幅に安価なものにすることができる。
【００１０】
しかも、地盤の隆起や沈降という地盤の変形あるいは寒冷地での凍上現象等が起こっても、敷設している動物侵入防止柵用ベースコンクリートブロックにおいて、平板状ブロックを連結する金属線で撓んで複数の平板状ブロックが曲がるようになり、ここでの破損を大幅に低減するこができる。また、一部が破損しても、その部分の動物侵入防止柵用ベースコンクリートブロックを交換するだけでよいことから、費用を必要最小限にすることができ、維持管理についても多大な費用が掛からないものにすることができる。
【図面の簡単な説明】
【００１１】
【図１】本考案の実施形態に係る動物侵入防止柵用ベースコンクリートブロックの上面図である。
【図２】本考案の実施形態に係る動物侵入防止柵用ベースコンクリートブロックの前面図である。
【図３】本考案の実施形態に係る動物侵入防止柵用ベースコンクリートブロックの斜視図である。
【図４】動物侵入防止柵用ベースコンクリートブロックの内部に設ける金属線を示す説明図である。
【図５】動物侵入防止柵用ベースコンクリートブロックを敷設したときの説明図である。
【図６】隣接する動物侵入防止柵用ベースコンクリートブロックの嵌入部同士が重なり合わさった状態を示す説明図である。
【図７】動物侵入防止柵用ベースコンクリートブロックに動物侵入防止柵を取り付けたときの説明図である。
【図８】凹凸のある地面に動物侵入防止柵用ベースコンクリートブロックを敷設したときの説明図である。
【図９】別の動物侵入防止柵用ベースコンクリートブロックの斜視図である。
【図１０】別の動物侵入防止柵用ベースコンクリートブロックの斜視図である。
【考案を実施するための形態】
【００１２】
本考案の動物侵入防止柵用ベースコンクリートブロックの一実施形態について、図面を参照して説明する。
図１は、本実施形態の動物侵入防止柵用ベースコンクリートブロックの上面図、図２は、本実施形態の動物侵入防止柵用ベースコンクリートブロックの前面図、図３は、本実施形態の動物侵入防止柵用ベースコンクリートブロックの斜視図である。
【００１３】
動物侵入防止柵用ベースコンクリートブロックは、図１、図２、図３に示すように、複数たとえば４つの平板状ブロック１を間隙を空けて左右方向に一列に並べて配置し、配置した４つの平板状ブロックを金属線２で連結した構成とし、４つの平板状ブロック１の一部に、動物侵入防止柵１０の支柱１１をはめ込むための嵌入部３を有する。動物侵入防止柵用ベースコンクリートブロックは、あらかじめ工場等において製造されたプレキャスト製品である。
なお、ここでの左右方向とは、図１において示す左右方向のことで、前後方向とは、図１において示す前後方向のことである。
【００１４】
平板状ブロック１は、コンクリート製であって、その１辺の寸法を約３０〜５０ｃｍの正方形状とし、厚みを約１０ｃｍとする。ただし、平板状ブロック１の大きさ及び形状については、これに限定されるものではない。
【００１５】
このような平板状ブロック１を４つ間隙を空けて左右方向に一列に並べる。このときの平板状ブロック１の間に空ける間隔は、約３〜２０ｍｍとする。それから、間隙を空けて一列に並べて配置した４つの平板状ブロック１を金属線２で連結している。このような構成となる動物侵入防止柵用ベースコンクリートブロックにあっては、その前後の長さが平板状ブロック１の１辺の寸法と同じ約３０〜５０ｃｍとなると共に、左右の長さが約１２０〜２００ｃｍとなり、全体の質量が約１３０〜２２０ｋｇとなる。
【００１６】
また、左右方向に一列に並べて配置した４つの平板状ブロック１において、その左右両外側に位置する２つの平板状ブロック１の左右の端辺には、上面視半円形状の切欠き部４を設ける。一方、４つの平板状ブロック１の左右内側に位置する２つの平板状ブロック１には、上下に向かって貫通する貫通孔５をそれぞれ設ける。
【００１７】
図４は、動物侵入防止柵用ベースコンクリートブロックの内部に設ける金属線を示す説明図である。
金属線２は、図４に示すように、平板状ブロック１の内部を通して左右方向に向かう２本の金属線２ａを４つの平板状ブロック１にわたって設けることにより、間隙を空けて一列に並べて配置した４つの平板状ブロック１を連結している。なお、４つの平板状ブロック１を連結する金属線２ａは、２本に限定されるものではなく、１本でもよく、また、３本以上の複数本でもよい。
【００１８】
また、４つの平板状ブロックを連結する２本の金属線２ａ以外にも、図４に示すように、各平板状ブロック１の内部を通して前後方向に向かう６本の金属線２ｂを設け、６本の金属線２ｂすべてが、４つの平板状ブロック１を連結する２本の金属線２ａに接合している。
【００１９】
また、左右両外側に位置する２つの平板状ブロック１それぞれの内部を通して一部が平板状ブロック１の端辺に設けた切欠き部４より突出するＵ字状の金属線２ｃを左右にそれぞれ設ける。これにより、平板状ブロック１の端辺に設けた切欠き部４と、ここより突出するＵ字状の金属線２ｃとから、上面視円形状の空間が形成される。この形成した上面視円形状の空間が、動物侵入防止柵用ベースコンクリートブロックの上部に取り付ける動物侵入防止柵１０の支柱１１をはめ込むための嵌入部３となる。
【００２０】
なお、４つの平板状ブロック１を連結する２本の金属線２ａ、各平板状ブロック１の内部に設ける６本の金属線２ｂ、左右両外側に位置する２つの平板状ブロック１それぞれに設ける２本のＵ字状の金属線２ｃについては、平板状ブロック１の厚み方向の中央に設ける。これらの金属線２ａ、２ｂ、２ｃは、溶融アルミナイズド鋼線であって、その直径を約４〜１０ｍｍとする。ただし、金属線２ａ、２ｂ、２ｃはこれに限定されるものではなく、その他の鋼線あるいは鉄線でもよい。
【００２１】
次に、本実施形態の動物侵入防止柵用ベースコンクリートブロックの使用例について説明する。
図５は、動物侵入防止柵用ベースコンクリートブロックを敷設したときの説明図、図６は、隣接する動物侵入防止柵用ベースコンクリートブロックの嵌入部同士が重なり合わさった状態を示す説明図、図７は、動物侵入防止柵用ベースコンクリートブロックに動物侵入防止柵を取り付けたときの説明図、図８は、凹凸のある地面に動物侵入防止柵用ベースコンクリートブロックを敷設したときの説明図である。
【００２２】
図５に示すように、複数の動物侵入防止柵用ベースコンクリートブロックを、動物侵入防止柵１０を設置する場所、たとえば、高速道路等の道路の周囲に、道路に沿うように一列に並べて敷設する。
【００２３】
このとき、動物侵入防止柵用ベースコンクリートブロックにあっては、図６に示すように、左右外側に位置する平板状ブロック１の切欠き部４に、隣接する動物侵入防止柵用ベースコンクリートブロックの左右外側に位置する平板状ブロック１のＵ字状の金属線２ｃが嵌まり込み、これとともに、左右外側に位置する平板状ブロック１のＵ字状の金属線２ｃが、隣接する動物侵入防止柵用ベースコンクリートブロックの左右外側に位置する平板状ブロック１の切欠き部４に嵌まり込む。即ち、隣接する動物侵入防止柵用ベースコンクリートブロックにおいて、それぞれの左右の端に切欠き部４とＵ字状の金属線２ｃとによって形成される嵌入部３同士が上下に重なって合わさるようになる。
【００２４】
それから、図５に示すように、一列に並べて敷設した動物侵入防止柵用ベースコンクリートブロックにおいて、４つの平板状ブロック１の左右内側に位置する２つの平板状ブロック１に設けた貫通孔５を介してアンカー２１を地面に打ち込んで、ここを固定する。また、隣接する動物侵入防止柵用ベースコンクリートブロックの左右の端において、上下に重なって合わさる嵌入部３に、上方から円筒状の鋼管杭２２を挿入して、鋼管杭２２を地盤中に埋め込んで、ここを固定する。
【００２５】
次に、図７に示すように、敷設した動物侵入防止柵用ベースコンクリートブロックの左右の端の嵌入部３に挿入したそれぞれの鋼管杭２２の内側に、上方から動物侵入防止柵１０の支柱１１を挿入してはめ込む。動物侵入防止柵１０は、複数の支柱１１を立設して、支柱１１の間に金網１２を張ったものである。ただし、動物侵入防止柵１０もこれに限定されるものではなく、動物の侵入を防止できるものなら、その他のものでもよい。なお、動物侵入防止柵１０の支柱１１の間隔は、動物侵入防止柵用ベースコンクリートブロックの左右の両端に形成される嵌入部３の間隔と同じにする。
これによって、地面に敷設した動物侵入防止柵用ベースコンクリートブロックの上部に動物侵入防止柵１０が取り付けられる。
【００２６】
また、動物侵入防止柵１０を上部に取り付けて地面に敷設する動物侵入防止柵用ベースコンクリートブロックにあっては、間隙を空けて一列に並べて配置した４つの平板状ブロック１を金属線２で連結していることから、図８に示すように、凹凸のある地面に敷設したときでも、４つの平板状ブロック１を連結する金属線２で撓むようになり、４つの平板状ブロック１が地面の凹凸を追従して曲がった状態になり、地面との間に大きな隙間ができないようにしている。
【００２７】
本実施形態によれば、動物侵入防止柵１０を設置する場所において、地面の土壌侵食あるいは動物が地面を掘る等により動物侵入防止柵１０の下側に隙間ができるのを防ぐ工事を、動物侵入防止柵用ベースコンクリートブロックを地面に敷設するだけのきわめて簡単な作業にすることができる。これにより、従来のような現場打ち工法によるコンクリートの打設といった作業を行う必要がなくなり、その作業性の向上を図ることができ、また作業の費用も大幅に安価なものにすることができる。
【００２８】
しかも、地盤の隆起や沈降という地盤の変形あるいは寒冷地での凍上現象等が起こっても、地面に敷設している動物侵入防止柵用ベースコンクリートブロックにおいて、平板状ブロック１を連結する金属線２で撓んで４つの平板状ブロック１が曲がるようになることから、ここでの破損が大幅に低減される。また、一部が破損しても、その部分の動物侵入防止柵用ベースコンクリートブロックを交換するだけでよく、このことから、費用を必要最小限にすることができ、維持管理についても多大な費用が掛からないものにすることができる。
【００２９】
次に、本考案の動物侵入防止柵用ベースコンクリートブロックの別の実施形態について、図面を参照して説明する。
図９、図１０は、別の動物侵入防止柵用ベースコンクリートブロックの斜視図である。
【００３０】
動物侵入防止柵用ベースコンクリートブロックは、図９に示すように、基本的には前述の実施形態と同様、４つの平板状ブロック１を間隙を空けて左右方向に一列に並べて配置し、配置した４つの平板状ブロック１を金属線２で連結した構成とし、４つの平板状ブロック１の一部に、動物侵入防止柵１０の支柱１１をはめ込むための嵌入部３を有する。
【００３１】
平板状ブロック１は、左右に向かう辺の寸法を約３０〜５０ｃｍ、前後に向かう辺の寸法を、その半分の約１５〜２５ｃｍとした左右に長くなる長方形状とする。このような左右に長くなる長方形状の平板状ブロック１を４つ間隙を空けて左右方向に一列に並べて、４つの平板状ブロック１を金属線２で連結している。このような構成となる動物侵入防止柵用ベースコンクリートブロックにあっては、その前後の長さが平板状ブロック１の前後に向かう辺の寸法と同じ約１５〜２５ｃｍとなると共に、左右の長さが約１２０〜２００ｃｍとなり、全体の質量が約７５〜１１０ｋｇとなる。
なお、嵌入部３やその他の箇所については、前述の実施形態と同様である。
【００３２】
このような構成にすることで、１つの動物侵入防止柵用ベースコンクリートブロック自体の質量を少なくし、軽量化を図ることができる。これにより、動物侵入防止柵用ベースコンクリートブロックの敷設作業をさらに容易に行うことができる。
【００３３】
また、別の例として、動物侵入防止柵用ベースコンクリートブロックは、図１０に示すように、８つの平板状ブロック１を間隙を空けて左右方向に一列に並べて配置し、配置した８つの平板状ブロック１を金属線２で連結した構成とし、８つの平板状ブロック１の一部に、動物侵入防止柵１０の支柱１１をはめ込むための嵌入部３を有する。
【００３４】
平板状ブロック１は、前後に向かう辺の寸法を約３０〜５０ｃｍ、左右に向かう辺の寸法を、その半分の約１５〜２５ｃｍとした前後に長くなる長方形状とする。このような平板状ブロック１を８つ間隙を空けて左右方向に一列に並べて、８つの平板状ブロック１を金属線２で連結している。このような構成となる動物侵入防止柵用ベースコンクリートブロックにあっては、その前後の長さが平板状ブロック１の前後に向かう辺の寸法と同じ約３０〜５０ｃｍとなると共に、左右の長さが約１２０〜２００ｃｍとなる。
なお、この別の例においても、嵌入部３やその他の箇所については、前述の実施形態と同様である。
【００３５】
このような構成にすることで、１つの動物侵入防止柵用ベースコンクリートブロックを８等分に細分化することができ、これにより、凹凸のある地面に敷設するとき、８等分に細分化された動物侵入防止柵用ベースコンクリートブロックにあっては、地面の細かな凹凸にも追従し曲がるようになり、地面との間に隙間ができにくくすることができる。
【００３６】
なお、動物侵入防止柵用ベースコンクリートブロックは、前述したものに限定されるものではなく、平板状ブロック１の大きさ及び形状、また平板状ブロック１の個数等については、その他のものでもよい。
【符号の説明】
【００３７】
１…平板状ブロック、２…金属線、２ａ…金属線、２ｂ…金属線、２ｃ…金属線、３…嵌入部、４…切欠き部、５…貫通孔、１０…動物侵入防止柵、１１…支柱、１２…金網、２１…アンカー、２２…鋼管杭。
【図１】
0003207596.tif 000003
【図２】
0003207596.tif 000004
【図３】
0003207596.tif 000005
【図４】
0003207596.tif 000006
【図５】
0003207596.tif 000007
【図６】
0003207596.tif 000008
【図７】
0003207596.tif 000009
【図８】
0003207596.tif 000010
【図９】
0003207596.tif 000011
【図１０】
0003207596.tif 000012